(57)【要約】【課題】熱や蒸気を使用するというような煩雑な作業を必要とせず、接着部分の折り曲げを均一に行うことが出来る畳表を提供する。【解決手段】経糸２が撚糸、緯糸３が筒状抄繊糸で機織された畳表１である。畳表１は、矩形板状の畳床４上に敷設されてその表面を覆う中央の本体部分５と、本体部分５から緯糸３方向に伸びて本体部分５の両側に延出され、少なくとも畳床４の一方の側面４ｒ及びその反対側の側面４ｒにそれぞれ接着される緯糸側接着辺６と、本体部分５から経糸２方向に伸びて本体部分５の両側に延出され、少なくとも畳床４の他方の側面４ｓ及びその反対側の側面４ｓにそれぞれ接着される経糸側接着辺７とで構成される。緯糸側接着辺６の本体部分５との境界部分Ｋが、畳床４の厚みＴに等しい幅Ｈ、或いはそれ以上の幅Ｈで経糸２が機織されていない。【選択図】図１
2018071178.tif 000002
【特許請求の範囲】
【請求項１】
経糸が撚糸、緯糸が筒状抄繊糸で機織された畳表であって、
矩形板状の畳床上に敷設されてその表面を覆う中央の本体部分と、
本体部分から緯糸方向に伸びて本体部分の両側に延出され、少なくとも畳床の一方の側面及びその反対側の側面にそれぞれ接着される緯糸側接着辺と、
本体部分から経糸方向に伸びて本体部分の両側に延出され、少なくとも畳床の他方の側面及びその反対側の側面にそれぞれ接着される経糸側接着辺とで構成され、
緯糸側接着辺の本体部分との境界部分が、畳床の厚みに等しい幅、或いはそれ以上の幅で経糸が機織されていない部分であることを特徴とする畳表。
【請求項２】
矩形板状の畳床と、請求項１に記載の畳表とで構成され、畳床上に敷設された畳表の本体部分の四周に設けられた緯糸側接着辺と経糸側接着辺とが、少なくとも畳床の側面にそれぞれ接着された置き畳であって、
経糸の機織されていない緯糸側接着辺の境界部分が、畳床の側面に接着されていることを特徴とする置き畳。
【発明の詳細な説明】
【技術分野】
【０００１】
本発明は、畳縁のない置き畳、或いは敷き込み畳（以下、統一的に置き畳という。）に用いられる畳表と、畳床に取り付けられた該畳表の木口部分の巻き込みが均一できれいな置き畳に関する。
【背景技術】
【０００２】
近年、生活様式が洋風化する一方で畳の風合いは根強く支持されており、洋室の床に「置き畳」と呼ばれる、半畳程の大きさで畳縁のない畳を敷き込み、和室或いは日本間として使用することが広く行われている（特許文献１〜２参照）。
【０００３】
この置き畳は、木質繊維板や合板あるいはその他のボード等からなる矩形板状の畳床の表面と側面を、天然のイ草や人工の筒状抄繊糸などを機織して得た畳表で覆い、畳床の側面から裏面に巻き込んだ畳表の端部を接着剤で貼着固定することによって製作されている。
【０００４】
畳表は、種々の織り方（例えば、平織、綾織その他）で筒状抄繊糸などの緯糸を機織することにより、種々の模様が施された意匠性の高い置き畳を提供することができる。そして、このような意匠性の高い置き畳を部屋に敷き込むことにより、デザイン性の高い室内空間を構築できる。
【先行技術文献】
【特許文献】
【０００５】
【特許文献１】登録実用新案第３１２７１５８号公報
【特許文献２】特開２０００−２７４１５号公報
【発明の概要】
【発明が解決しようとする課題】
【０００６】
このような畳表１０は、図４〜６に示すように、細い綿や麻からなる撚糸を経糸２０とし、太い天然のイ草や人工の筒状抄繊糸などを緯糸３０として機織される。そして、畳表１０の長尺の原反Ｇｂの中央部分５０ａに畳床４０と同幅で前述の意匠性の高い模様織り組織部分が形成され、その両側に長辺部分６０ａが設けられる。そして原反Ｇｂの裏面に不織布９０が貼着される。前記長辺部分６０ａは、その原反Ｇｂが裁断されて１枚の畳表１０とされた時に折り返されて畳床４０の互いに反対位置にある二つの側面４０ｒから裏面４０ｕに巻き込まれて畳床４０に接着固定される緯糸側接着辺６０となる。
【０００７】
この緯糸側接着辺６０は、上記のように折り曲げられて接着固定されるので、同じ個所で均一且つきれいに折り曲げられなければならない。そこで、先行技術文献１，２では、折り曲げ易く且つ畳床４０の角部分４０ｋによく沿うとされている目の細い目積織り（或いは、目迫織、緻密織）を長辺部分６０ａの織組織として採用している。
【０００８】
そしてこの長尺の原反Ｇｂは、畳床４０に合わせて所定の寸法に切断され、コーナー部分を切除して１枚の畳表１０として使用される。
【０００９】
裁断された畳表１０は、畳床４０に合致する大きさで本体部分５０と、本体部分５０の両側に延出し、長辺部分６０ａを裁断した緯糸側接着辺６０、及びこれに直交し、原反Ｇｂの中央部分５０ａから切り出された経糸側接着辺７０で構成される。裏面には不織布９０が貼着されている。
【００１０】
この畳表１０を畳床４０に張り付けて置き畳Ｂを形成する場合、畳床４０上に畳表１０を延べ、本体部分５０の四周から張り出した４辺６０・７０を折り曲げ、畳表１０の４側面４０ｒ・４０ｓ及び裏面４０ｄに接着することになるが、経糸側接着辺７０は太く折り曲げにくい筒状抄繊糸などの緯糸３０が畳床４０の角部分４０ｋ平行に沿い、これに細い撚糸の経糸２０が直交してこれが曲がることになるので、経糸側接着辺７０の曲げは簡単且つ均一にできる。この部分の折り曲げ線を７０ｋで示す。
【００１１】
これに対して緯糸側接着辺６０は前述のように経糸（細い撚糸）２０を折り曲げる場合と異なり、天然のイ草や人工の筒状抄繊糸などの太い緯糸３０を畳床４０の側面４０ｒの角部分４０ｋに沿って均一に折り曲げなければならないが、隣接する緯糸３０は交互に細い撚糸の経糸２０の上下に絡めて機織一体化されているため、隣接する緯糸３０の折り曲げ位置が異なり、全体として同一位置で折り曲げられない。換言すれば、均一な折り曲げが出来ず、少なくとも２箇所の折り曲げ線６０ｋが生じ、緯糸側接着辺６０の外観が劣ることになる（図５、６）。
【００１２】
加えて、緯糸側接着辺６０の織り組織である目の細い目積織りは剛性を有するため、通常、熱や蒸気を使用して柔らかくしてから折り曲げている。このような熱や蒸気を使用する折り曲げ作業は煩雑であり、しかも熱や蒸気を使用してこの部分を柔らかくしても、上記のように機織一体化されているため隣接する緯糸３０の折り曲げ位置を一致させ難い。そのような理由から緯糸側接着辺６０の簡易且つ均一な折り曲げ作業の提案が久しく望まれていた。
【００１３】
本発明は、かかる従来の問題点に鑑みてなされたもので、熱や蒸気を使用するというような煩雑な作業を必要とせず、接着部分の折り曲げを均一に行うことが出来る畳表と該畳表を使用した置き畳を提供することを課題とするものである。
【課題を解決するための手段】
【００１４】
請求項１に記載した発明は、
経糸２が撚糸、緯糸３が筒状抄繊糸で機織された畳表１であって、
矩形板状の畳床４上に敷設されてその表面を覆う中央の本体部分５と、
本体部分５から緯糸３方向に伸びて本体部分５の両側に延出され、少なくとも畳床４の一方の側面４ｒ及びその反対側の側面４ｒにそれぞれ接着される緯糸側接着辺６と、
本体部分５から経糸２方向に伸びて本体部分５の両側に延出され、少なくとも畳床４の他方の側面４ｓ及びその反対側の側面４ｓにそれぞれ接着される経糸側接着辺７とで構成され、
緯糸側接着辺６の本体部分５との境界部分Ｋが、畳床４の厚みＴに等しい幅Ｈ、或いはそれ以上の幅Ｈで経糸２が機織されていない部分であることを特徴とする畳表１である。
【００１５】
請求項２に記載した発明は、
矩形板状の畳床４と、請求項１に記載の畳表１とで構成され、畳床４上に敷設された畳表１の本体部分５の四周に設けられた緯糸側接着辺６と経糸側接着辺７とが、少なくとも畳床４の側面４ｒ・４ｓにそれぞれ接着された置き畳Ａであって、
経糸２の機織されていない緯糸側接着辺６の境界部分Ｋが、畳床４の側面４ｒに接着されていることを特徴とする置き畳Ａである。
【発明の効果】
【００１６】
上記畳表１は、畳床４の側面４ｒに接着される緯糸側接着辺６の境界部分Ｋに経糸（撚糸）２が機織されていないので、各緯糸（筒状抄繊糸）３がバラバラで隣の緯糸３に拘束されない。そして、この境界部分Ｋにあっては、１つの緯糸３に対して隣の緯糸３はその下側に入り、境界部分Ｋの経糸３は２重の状態になる（図１の拡大図参照）。換言すれば、一本おきに緯糸３が表面側を構成し、その間の緯糸３が裏面側を構成し、各緯糸３は互いに拘束されていないので、畳床４の角部分４ｋに合わせて独立して簡単に折り曲がる。緯糸３の折り曲げ位置を６ｋで示す。
【００１７】
即ち、太い緯糸３を畳床４の角部分４ｋに合わせて折り曲げる際に蒸気や熱を使わなくとも１本ずつ独立して同じ位置（畳床４の角部分４ｋ）で簡単且つ均一に折り曲げることができる。
【００１８】
なお、境界部分Ｋの幅Ｈは、畳床４の厚みＴに等しければ足り、厚みＴより大であれば畳床４の上下の角部分４ｋを確実にカバーでき、より好ましい（図２(ａ)(ｂ)参照）。
【図面の簡単な説明】
【００１９】
【図１】本発明の置き畳を示す斜視図である。
【図２】(ａ) は図１の部分拡大断面図、(ｂ)は他の部分拡大断面図である。
【図３】本発明に使用される原反と畳表の平面図である。
【図４】従来の置き畳を示す斜視図である。
【図５】図４の部分拡大断面図である。
【図６】従来例に使用される原反と畳表の平面図である。
【発明を実施するための形態】
【００２０】
以下、本発明を図面に従って説明する。図１は本発明にかかる置き畳Ａの斜視図である。この図が示すように、本発明の置き畳Ａは、畳床４と、畳表１と、必要に応じて設けられる裏面被覆材８とで構成されている。
【００２１】
畳床４は、正方形（畳半畳）または長方形（畳一畳）のような矩形板状のインシュレーションボード、合板、繊維板などで構成される畳ボード４ａ、その上に一体的に設けられた発泡ポリスチレンシートのようなクッション材４ｂにより構成されている。
【００２２】
畳表１の原反Ｇａは、細い撚り糸を経糸２、筒状抄繊糸を緯糸３とし、一般的に畳表の製造に用いられる織機で経糸２を上下させ、その間に緯糸３を通して機織された長尺のもので、その中央部分５ａは綾織り、緯朱子織りその他、様々な織り方の模様織り組織部分で形成されており、図の実施例では、その両側辺部分６ａは、畳床４の厚みＴ及び前記両側辺部分６ａを畳床４の裏面４ｄに巻き込むだけの幅に形成されている。（換言すれば、両側辺部分６ａが畳床４の裏面４ｄに巻き込んで接着固定しない場合には、畳床４の厚みＴに等しい幅だけで足る。）
模様織りの中央部分５ａの幅は畳床４の幅と等しいか、若干、狭く作られている。
【００２３】
そして、この両側辺部分６ａにおいて、中央部分５ａの端部５ｂを境に少なくとも畳床４の厚みＴと等しい幅Ｈ、或いは該厚みＴを若干超える幅Ｈで経糸２が機織されず飛ばされた部分が設けられる。この部分を境界部分Ｋとする。この境界部分Ｋが畳床４の側面４ｒをカバーする。
【００２４】
筒状抄繊糸は、和紙テープを細いこより状に巻いて形成した、イ草と殆んど同じ太さの糸で、緯糸３に用いられる。筒状抄繊糸には、耐久性、防汚性、耐摩耗性、耐水性やその他、畳表１として必要な性質が付与されている。また、経糸２としては、麻糸、綿糸等が用いられる。
【００２５】
上記のように機織された原反Ｇａは、畳床４に合わせて裁断され、一枚の畳表１として使用される（図３参照）。切断された畳表１の経糸方向２の幅は、少なくとも畳床４の幅にその板厚Ｔの２倍以上の大きさを加えた大きさ、或いはこれに畳床４の裏面４ｄに折り返す幅を加えた大きさに切断される。
【００２６】
このように切断された１枚の畳表１の裏面全面に不織布９を裏打ちし、その四隅を畳床４に合わせて切除し、次にこれを畳床４の上に敷設し、畳表１の経糸２側の両辺である経糸側接着辺７の経糸２を、該辺７に対応する畳床４の辺の角部分４ｋに沿って折り曲げ、例えば、ホットメルトのような接着剤で畳床４の側面４ｓ、或いは側面４ｓから裏面４ｄにかけて接着する。この部分の折り曲げは、細い経糸２を折り曲げることになるから簡単であり、同じ位置で折り曲げることが出来る。この折り曲げ線を７ｋで示す（図３参照）。
【００２７】
そして、次に緯糸３方向の両辺を構成する緯糸側接着辺６の折り曲げであるが、緯糸側接着辺６の境界部分Ｋで折り曲げることになる（図２参照）。
【００２８】
緯糸側接着辺６の境界部分Ｋでは、経糸２が織り込まれていないので、境界部分Ｋの両側に隣接して位置する経糸２間では、該経糸２の上に位置する緯糸３は緯糸側接着辺６の表面層を構成し、経糸２の下に位置する隣の緯糸３は緯糸側接着辺６の裏面層を構成して２重構造を呈する（図１の拡大図参照）。
【００２９】
上記裏面層の緯糸３も表面層の緯糸３も畳床４の角部分４ｋに一致して折り曲がることになるが、裏面層の緯糸３は表面層の緯糸３の下になって表面側に出てこない。表面層の緯糸３は緯糸側接着辺６の全面を覆い、上記のように畳床４の角部分４ｋに一致して折り曲がり、きれいな外観を呈する。表面層の緯糸３の折り曲げ位置を６ｋで示す。
【００３０】
このように畳床４の残る２側辺４ｒ、或いは２側辺４ｒから裏面４ｄにかけて緯糸側接着辺６を折り曲げ、ホットメルトのような接着剤で接着する。
【００３１】
最後に、畳床４の裏面４ｄにおいて、畳床４の四辺から裏面４ｄ側に折り返された緯糸側接着辺６及び経糸側接着辺７に囲まれた矩形部分に、緯糸３の太さと不織布９の厚みを加えた厚みを有する矩形状の中敷き８ａを敷設して接着し、更に、中敷き８ａより大判の裏面シート８ｂを敷設して接着し、緯糸側接着辺６及び経糸側接着辺７の折り返し部分を裏面シート８ｂの周縁部分で覆うようにする。中敷き８ａ及び裏面シート８ｂは不織布で形成され、これらで裏面被覆材８が構成される。
【００３２】
なお、緯糸側接着辺６及び経糸側接着辺７を畳床４の裏面４ｄ側に折り返さない場合には、裏面被覆材８を設けなくてもよい。
【００３３】
上記では畳表１と畳床４との折り曲げ・接着は、経糸側接着辺７を緯糸側接着辺６より先にしたが、当然、その逆でも良いし、一度に接着するようにしてもよい。
【００３４】
なお、経糸側接着辺７と緯糸側接着辺６とを畳床４の側辺４ｓ・４ｒだけに接着し、裏面４ｄ側に回し込まない場合には、接着後、畳表１の四辺が畳床４の裏面４ｄから出ておれば、余分な部分は畳床４の裏面４ｄに沿って切除する。この場合、上記緯糸側接着辺６の表面層側の緯糸３もほつれが生じないように接着される。
【００３５】
なお、上記の場合において、畳表１の本体部分５が畳床４と同じ大きさの場合、図２(ａ)に示すように、境界部分Ｋは畳床４の側面４ｒの全面をカバーする。表面層を構成する緯糸３の折り曲げ位置６ｋは、全長に亘って角部分４ｋに一致する。
【００３６】
これに対して畳表１の本体部分５が畳床４より若干小さい場合は、図２(ｂ)に示すように、境界部分Ｋの幅Ｈを畳床４の厚みＴより広くして境界部分Ｋが畳床４の側面４ｒの全面をカバーするようにする。この場合の表面層を構成する緯糸３の折り曲げ位置６ｋは、全長に亘って角部分４ｋに一致する。
【００３７】
以上のように、境界部分Ｋの表面層を構成する緯糸３の折り曲げ位置６ｋが一定であるので、当該部分の外観が均一になり美しい。しかも、この部分に経糸２が織り込まれていないので、この部分の緯糸３は経糸２に拘束されず独立して折り曲げられるので、従来のように熱や蒸気を用いなくとも簡単に折り曲げることが出来る。
【符号の説明】
【００３８】
Ａ・Ｂ：置き畳、Ｇａ・Ｇｂ：原反、Ｈ：幅、Ｋ：境界部分、Ｔ：畳床の厚み、１：畳表、２：経糸（撚糸）、３：緯糸（筒状抄繊糸）、４：畳床、４ａ：畳ボード、４ｂ：クッション材、４ｄ：裏面、４ｒ・４ｓ：側面、４ｋ：角部分、５：本体部分、５ａ：中央部分、５ｂ：端部、６：緯糸側接着辺、６ａ：側辺部分、６ｋ：表面層の折り曲げ位置、７：経糸側接着辺、７ｋ：折り曲げ線、８：裏面被覆材、８ａ：中敷き、８ｂ：裏面シート、９：不織布、１０：畳表、２０：経糸、３０：緯糸、４０：畳床、４０ｒ・４０ｓ：側面、４０ｋ：角部分、４０ｄ：裏面、５０：本体部分、５０ａ：中央部分、６０：緯糸側接着辺、６０ａ：長辺部分、７０：経糸側接着辺、７０ｋ：折り曲げ線、９０：不織布。
【図１】
2018071178.tif 000003
【図２】
2018071178.tif 000004
【図３】
2018071178.tif 000005
【図４】
2018071178.tif 000006
【図５】
2018071178.tif 000007
【図６】
2018071178.tif 000008